(57)【特許請求の範囲】
【請求項１】
冷蔵庫の開閉扉の内壁面に取り付けられる収納ポケットに収納されるチューブ類を収納するチューブ類収納スタンドであって、
このチューブ類収納スタンドは、長手方向の両端部を前記収納ポケットの前後の内壁面に接する大きさを備えた収納部本体と、この収納部本体の長手方向の一端に前記収納ポケットの長手方向に張り出して形成される支持脚部とを備え、
前記収納部本体は、上方に開放し、かつ、前後方向に複数に仕切られた収納部を備え、
前記支持脚部は収納ポケットの内部底面に接するように設けられるようにする
ことを特徴とするチューブ類収納スタンド。
【請求項２】
前記請求項１記載のチューブ類収納スタンドにおいて、
上方に開放し、かつ、前後方向に複数に仕切られた前記収納部は、仕切りで仕切られた１つの収納部の対向する一対の上端縁部１５５の形状を、前記仕切りの部分が高く、前記仕切りの間の中央に行くにしたがって低くする形状を備えている
ことを特徴とするチューブ類収納スタンド。
【請求項３】
開閉扉の内壁面に取り付けられる収納ポケットにチューブ類を収納するチューブ類収納スタンドを備えた冷蔵庫であって、
このチューブ類収納スタンドは、長手方向の両端部を前記収納ポケットの前後の内壁面に接する大きさを備えた収納部本体と、この収納部本体の長手方向の一端に前記収納ポケットの長手方向に張り出して形成される支持脚部とを備え、
前記収納部本体は、上方に開放し、かつ、前後方向に複数に仕切られた収納部を備え、
前記支持脚部は収納ポケットの内部底面に接するように設けられるようにする
ことを特徴とする前記チューブ類収納スタンドを備えた冷蔵庫。
【請求項４】
前記請求項３記載の冷蔵庫において、
上方に開放し、かつ、前後方向に複数に仕切られた前記収納部は、仕切りで仕切られた１つの収納部の対向する一対の上端縁部１５５の形状を、前記仕切りの部分が高く、前記仕切りの間の中央に行くにしたがって低くする形状を備えている
ことを特徴とする前記チューブ類収納スタンドを備えた冷蔵庫。
【発明の詳細な説明】
【技術分野】
【０００１】
本発明は、冷蔵庫に係り、特に、開閉扉の収納ポケットに設置されるチューブ類収納スタンドと、このチューブ類収納スタンドを備えた冷蔵庫に関するものである。
【背景技術】
【０００２】
現在主流となっている冷蔵庫は、冷蔵室の前面に開閉扉を設け、この開閉扉の内壁面に上下に複数配列される収納ポケットを設けている。これらの収納ポケットは、最下部がボトル類を収納する大型の収納ポケットであり、その上部には、卵やチューブ類などの小物食品を収納する小型の収納ポケットである。
【０００３】
ところで、わさびやケッチャップあるいはマヨネーズが主体となるチューブ類は、内容物を漏れなく使い切るためにキャップを下向きに立てて収納したいニーズがある。しかし、小型の収納ポケットは、小物食品の出し入れを向上するために、底の浅い扁平な容器構造を採用しているために、立てて収納することが困難な構造となっている。また、収納ポケットが設けられる開閉扉は、開閉が頻繁に行われるために、開閉時の振動が大きいため、チューブ類を立てて収納するには不向きであるという課題もある。
【０００４】
そこで、従来技術においては、この収納ポケットにチューブ類を立てて収納する補助具を設けるものが提案されている。これらの従来例の補助具は、チューブ類を立てて収納する凹部を設け、その前面には、収納ポケットの前面の縁部に引っ掛けるための引っ掛け部を設けることで補助具の姿勢を保持する構造としている。
【先行技術文献】
【特許文献】
【０００５】
【特許文献１】特開平９−１９６５５０号
【特許文献２】実開昭５５−１０５２４号
【特許文献３】特開２００１−７４３５９号
【特許文献４】特開平１０−１２２７３４号
【特許文献５】特開２００７−１４７２０２号
【発明の概要】
【発明が解決しようとする課題】
【０００６】
従来の補助具は、底が浅い扁平な構造を備えた収納ポケットを左右に仕切るように設置する構造を採用している。これにより、従来の収納ポケットでは、補助具を仕切りとして、小物食品を左右に並べて収納することができる。しかし、従来の補助具は、開閉扉の開閉時の振動に対抗するために、引っ掛け部と収納ポケットの前面縁部との嵌合を強くする必要がある。このため、収納ポケット内で仕切りとなる補助具を左右に移動させたり、あるいは着脱し難い課題がある。
【０００７】
また、従来の補助具は、多様な仕様（大きさ）のチューブ類に対応した大きさの異なる凹部を備えている。しかし、これらの凹部は、その大きさが特定されるために、多様な利用者のチューブ類に対応することができないため、特定の凹部が余ったり、あるいは足りなかったりして、実際の使用形態に合い難いという課題がある。また、これを解決するために、細い溝状の凹部を備えたものが提案されているが、数が少ないと、この凹部に倒れて収納されてしまう課題がある。
【０００８】
そこで、この発明の目的は、収納ポケット内で簡単に移動できる仕切り機能を備えたチューブ類収納スタンドと、このチューブ類収納スタンドを備えた冷蔵庫を提供することにある。
【課題を解決するための手段】
【０００９】
前記目的を達成するために、この発明に係るチューブ類収納スタンドまたはこれを備えた冷蔵庫は、冷蔵庫の開閉扉の内壁面に取り付けられる収納ポケットに収納されるチューブ類を収納するチューブ類収納スタンドであって、このチューブ類収納スタンドは、長手方向の両端部を収納ポケットの前後の内壁面に接する大きさを備えた収納部本体と、この収納部本体の長手方向の一端に収納ポケットの長手方向に張り出して形成される支持脚部とを備え、前記収納部本体は、上方に開放し、かつ、前後方向に複数に仕切られた収納部を備え、支持脚部は収納ポケットの内部底面に接するように設けられるようにする。
【発明の効果】
【００１０】
この発明によれば、収納ポケット内に収納されるチューブ類収納スタンドは、その上面に形成される複数に仕切られた収納部にチューブ類を立て姿勢で支持できるとともに、前後方向が収納ポケットの内壁面に支持され、かつ、支持脚部により収納ポケットの収納性を阻害することなく、左右の移動性と安定姿勢を図ることができるので、収納ポケット内で簡単に移動できる仕切り機能を備えたチューブ類収納スタンドまたは、このチューブ類収納スタンドを備えた冷蔵庫を提供することができる。
【図面の簡単な説明】
【００１１】
【図１】本発明に係る第1実施例の概略構成図である。
【図２】本発明に係る第1実施例のチューブ類収納スタンドの外観図である。
【図３】本発明に係る第1実施例のチューブ類収納スタンドを設置した収納ポケットの外観図である。
【図４】市販されている大型のチューブ類食品の大きさ一覧する図である。
【図５】市販されている小型のチューブ類食品の大きさ一覧する図である。
【図６】本発明に係る他の応用例の外観図である。
【発明を実施するための形態】
【００１２】
以下、本発明に係るチューブ類収納スタンドを備えた冷蔵庫の実施例を図１から図６を参照して具体的に説明する。ここで、図１から図５が第１実施例に係るチューブ類収納スタンドを示し、図６に他の応用例に係るチューブ類収納スタンドを示している。なお、同様な部位や矢印などは同一符号をもって示し、重複した説明を省略する。
（第１実施例）
先ず、図１を参照して、第１実施例に係る冷蔵庫の概略構造を説明する。ここで、図１は、本発明に係る第1実施例の概略構成図であり、（ａ）図は冷蔵庫の開閉扉を解放した状態の要部外観図、（ｂ）図がチューブ類収納スタンドの設置状態を示す収納ポケットの外観図、（ｃ）図は収納ポケットの収納方法を示す外観図、（ｄ）図は収納ポケットの収納状態を示す外観図である。
【００１３】
（ａ）図に示すように、この実施例に係る冷蔵庫１は、断熱材を内蔵した冷蔵庫筺体２の前面の開放部３を覆うように開閉扉４を取り付けている。冷蔵庫１は、冷蔵庫筺体２の前面部を仕切り板５で複数に分割し、その分割された複数の収納部６を開閉扉４または図示しない引出扉で覆う構造を採用している。この実施例では、ヒンジ機構７を介して片方開きまたは両開きで開閉可能な開閉扉４に適用することができる。この実施例では、最上部に形成される冷蔵室（収納部６）の前面を観音開きの開閉扉４で構成した冷蔵庫１の事例で説明している。もちろん、冷蔵庫筺体２の前面部を1枚の開閉扉で構成した１ドアタイプの冷蔵庫に適用することもできる。
【００１４】
この実施例に係る開閉扉４は、その内部面８に複数の収納ポケット１００を上下に備えている。例えば、この実施例では、最下部にペットボトルやビン類を収納することができる大型の第１収納ポケット１０１を設け、その上部に卵やチューブ類などの小物食品を収納することができる小型の第２収納ポケット１１０を１個または複数個設けている。また、この実施例では、第１収納ポケット１０１を固定して設けているが、第２収納ポケット１１０は、図示しない取付構造にて取り付ける高さを調整することができる。
【００１５】
そして、この実施例に係る冷蔵庫１の大きな特徴の１つは、（ｂ）図に示すように、この収納ポケット１００にわさびやケッチャップあるいはマヨネーズなどのチューブ類５０の収納に適したチューブ類収納スタンド１５０を設置（収納）可能に設けた点である。もちろん、このチューブ類収納スタンド１５０は、チューブ類５０の収納に限定されるものではなく、ソーセージやチーズなどの棒状の小物食品を立てて収納することもできる。
【００１６】
即ち、この実施例に係るチューブ類収納スタンド１５０は、長手方向の両端部を収納ポケット１００の前後の内壁面１１１に接する大きさを備えた収納部本体１５１と、この収納部本体１５１の長手方向の一端に収納ポケット１００の長手方向に張り出して形成される支持脚部１５２とを備え、前記収納部本体１５１は、上方に開放し、かつ、前後方向に複数に仕切られた収納部１５３を備え、支持脚部１５２は収納ポケット１００の内部底面１１２に接するように設けられている。
【００１７】
一般に、チューブ類５０の食品は、その内容物により、多様な大きさを備えた仕様になっている。これらは、チューブ状の長手方向の一端にキャップ５１を備えており、この内容物を漏れなく使い切るために、収納時には、このキャップ５１を下に向けた逆さ姿勢を取ることが一般に行われている。
【００１８】
冷蔵庫においては、収納ポケット１００にチューブ類５０を収納すると、横姿勢で収納することになるので、前記使いやすい立て姿勢を取れない課題がある。また、開閉扉４が高い位置に設置される大型冷蔵庫においては、収納ポケット１００が高い位置となるため、横姿勢のチューブ類５０が収納ポケット１００の縁に隠れて迷子になってしまう課題がある。
【００１９】
そこで、従来例では、チューブ類５０を収納する凹状の収納部を備えた収納スタンドが提案されている。これらの収納スタンドは、立て姿勢の食品を収納するため、引っ掛け具を介して収納ポケットの縁部に引っ掛けて自立させる構造を備えている。特に、この引っ掛け具の嵌合強度は開閉扉の開閉時の振動に対抗するために大きな応力を備えている。
【００２０】
一方、第２収納ポケット１１０は、小物食品を収納するために、低い縁取りで形成される底の浅いトレー構造を採用している。このため、収納される小物食品は収納ポケット１００に左右に並べて収納される。この際、引っ掛け具で収納ポケット１００に固定される収納スタンド１５０が邪魔になるため、左右に簡単に移動させたい要求がある。しかし、従来例では、引っ掛け具の嵌合強度が強すぎて移動し難い課題がある。もちろん、嵌合強度を小さくすることもできるが、今度は、自立し難い課題や、開閉扉の開閉時の振動で動いたり倒れたりする課題もある。
【００２１】
そこで、（ｂ）（ｃ）図に示すように、この実施例では、収納ポケット１００内に自立する構造を備えたチューブ類収納スタンド１５０を収納するようにする。具体的には、その上面に形成される複数に仕切られた収納部１５３にチューブ類１５０を立て姿勢で支持できるとともに、前後方向が収納ポケット１００の前後の内壁面１１１に支持され、かつ、支持脚部１５２により収納ポケット１００の収納性を阻害することなく、左右の移動性と安定姿勢を図ることができるので、収納ポケット内で簡単に移動できる仕切り機能を備えることができる。
【００２２】
また、この実施例に係る冷蔵庫の大きな特徴の他の１つは、収納部本体１５１の収納部１５３を、上端支持部１５５を備えた一対の側板１５４と、この一対の側板１５４で形成される収納部１５３を前後方向に仕切る複数の仕切り１５６とで構成し、仕切り１５６の間の前記上端支持部１５５を凹状に形成するようにする。
【００２３】
即ち、前記したようにチューブ類５０は、内容物により、その大きさが異なる多様な仕様のものが普及している。例えば、（ｃ）図に示すように、わさびなどチューブ類５０ａは外形が小さいく、マヨネーズやケチャップのチューブ類５０ｂは外形が大きくなっている。これら従来の収納スタンドは、これらの多様な大きさのチューブ類に対応するための大きさの異なる凹状の収納部を複数備えている。しかし、このように収納部の大きさを複数に限定すると、収納するチューブ類が限定されるために、収納効率が低下する課題がある。
【００２４】
そこで、本発明者らは、一般に出回っている大型のチューブ類５０ｂの形状が、横断面形状が楕円またはトラック形状のように角が取れた形状であり、また、キャップ５１に向かって先細りの形状である点に着目し、仕切り１５６で仕切られた１つの収納部１５３の対向する一対の側板１５４の上端縁部１５５の形状を、仕切り１５６の部分が高く、仕切り１５６間の中央に行くにしたがって低くする形状を備えるようした。これにより、この収納部１５３に収納される逆さ姿勢のチューブ類５０は、その先細り形状により、上端縁部で支持される大きさの異なるチューブ類の支持率が高くなるので、前記課題を軽減することができる。
【００２５】
したがって、この実施例によれば、（ｃ）図に示すように、チューブ類収納スタンド１５０で左右に仕切られた一方の収納領域１１３に他の小物食品６０を収納する際には、（ｄ）図に示すように、チューブ類収納スタンド１５０を簡単に移動させることができるので、小物食品６０を収納する一方の収納領域１１３を、その大きさに合った大きさにして、小物食品６０を動かなくすることができる。しかも、他方の収納領域１１４は大きく開放することができるので、より効率のよい収納が可能となる。
【００２６】
以下、図２から図５を参照して、更に詳細に説明する。ここで、図２は、第1実施例のチューブ類収納スタンドの外観図である。図３は、第1実施例のチューブ類収納スタンドを設置した収納ポケットの外観図である。図４、図５は、市販されている大型または小型のチューブ類食品の大きさ一覧する図である。
【００２７】
図２はチューブ類収納スタンドの外観図であり、(ａ)図は外観斜視図、（ｂ）図は平面図、（ｃ）図は正面図、（ｄ）図は一部断面を示す側面図である。この実施例に係るチューブ類収納スタンド１５０は、収納部本体１５１と支持脚部１５２とを樹脂材料で一体成型した構造を備えている。収納部本体１５１は、一対の板状の側板１５４を平行に並べて配置し、その間を２枚の仕切り１５６で連結している。また、収納部本体１５１の長手方向の一端には板状の支持板１５７が設けられている。
【００２８】
この実施例では、支持板１５７の下端部が支持脚部１５２を構成する。即ち、支持脚部１５２を構成する支持板１５７は、前後方向（図面上の矢印参照）に伸びる収納部本体１５１の前部を構成し、収納部本体１５１の左右方向に張り出すように形成される。そして、支持板１５７の一部を構成する支持脚部１５２は平坦に形成され、この平坦部が一対の側板１５４の下端部の平坦部と連続して形成される。これにより、チューブ類収納スタンド１５０は、一対の側板１５４の下端部と支持脚部１５２とが収納ポケット１００のフラットな内部底面１１２に接することができるので、収納ポケット１００内で安定した自立姿勢を取ることができる。
【００２９】
また、この実施例では、収納部本体１５１の横幅寸法Ｗ１は収納部本体１５１の奥行き寸法Ｄ１より小さく形成される。また、１つの収納部１５３の横幅寸法Ｗ２は１つの収納部１５３の奥行き寸法Ｄ２より小さく形成される。そして、支持板１５７の横幅寸法Ｗ３は、収納部本体１５１の横幅寸法Ｗ１より大きく形成される。更に、チューブ類収納スタンド１５０の高さ寸法Ｈ１は収納ポケットの深さ寸法と同一またはやや低い大きさに設定している。
【００３０】
なお、この実施例では、横幅寸法Ｗ１を４０ｍｍ、収納部本体１５１の奥行き寸法Ｄ１４０ｍｍ、１つの収納部１５３の横幅寸法Ｗ２を３５ｍｍ、１つの収納部１５３の奥行き寸法Ｄ２を４３ｍｍ程度に設定している。更に、支持板１５７の横幅寸法Ｗ３を１００ｍｍ、高さ寸法Ｈ１を７５ｍｍに設定している。
【００３１】
更に、この実施例では、（ｄ）図に示すように、樹脂成形される収納ポケット１００の成型型の抜き勾配を考慮して、収納部本体１５１の前端部に設けられる支持板１５７と、収納部本体１５１の他端部を構成する一対の側板１５４の後端部１５８は、上端部より下端部が寸法ｄ１だけ内側に位置するように抜き勾配で形成している。なお、この実施例では、寸法ｄ１を２ｍｍに設定している。
【００３２】
一方、一対の側板１５４の上端部を構成する上端支持部１５５は同一の波型に形成されている。そして、この実施例では、波型の頂点となる位置に仕切り１５６を設けている。即ち、仕切り１５６と一対の側板１５４とで構成される１つの収納部１５３の上端支持部１５５は、仕切り１５６で最頂部であり、この最頂部から上端支持部１５５の中央部に向かって低くなるように形成している。この実施例では、下方に突の円弧形状としているが、これに限定されるものではなくＶ字型でもよい。
【００３３】
次に、図３を参照して、収納ポケット１００にチューブ類収納スタンド１５０を設置した状態を説明する。図３において、（ａ）図と（ｂ）図はチューブ類収納スタンド１５０を収納ポケット１００に設置した状態の平面図を示し、（ｃ）図が横断面図である。
【００３４】
図に示すように、この実施例に係るチューブ類収納スタンド１５０は、収納ポケット１００の収納領域１１５を、一方の収納領域１１３と他方の収納領域１１４に左右に分割するように収納領域１１５に着脱可能に収納する。このように、この実施例に係るチューブ類収納スタンド１５０は、引っ掛け具などの取り付け部品を使用することなく、単に、収納ポケット１００に収納するだけで、チューブ類の収納と、収納ポケット１００の収納領域１１５の左右の仕切りとして使用することができる。
【００３５】
しかも、このチューブ類収納スタンド１５０は、収納部本体１５１の長手方向の前部となる支持板１５７（支持脚部１５２）と後端部１５８が収納ポケット１００の前後の内壁面１１１にほぼ接するよう大きさを備えているので、チューブ類収納スタンド１５０が収納ポケット１００の前後方向に動いてガタつくことを軽減することができる。特に、この実施例では、一方の後端部１５８と対角を成す支持板１５７（支持脚部１５２）に左右端部の一方で構成される対角線Ｚ１を、収納ポケット１００の収納領域１１５の奥行き寸法Ｄ３より大きく設定することにより、チューブ類収納スタンド１５０が回転することを防いでいる。
【００３６】
更に、（ｃ）図に示すように、収納ポケット１００は樹脂成型されるのが一般的であるため、収納ポケット１００の収納領域１１５の内壁面は上方の開放部がやや開いた抜き勾配で形成される。この実施例に係るチューブ類収納スタンド１５０では、収納ポケット１００の抜き勾配にあった形状としているために、ガタつきや回転移動を防ぐことができる。しかも、（ａ）図から（ｂ）図のように、チューブ類収納スタンド１５０を左右に移動させることを簡単に行うことができる。加えて、収納ポケット１００の前部の内壁面１１１は、中央部が両側より前方にやや張り出した湾曲形状としている。この実施例では、支持板１５７を収納部本体１５１の両側に張り出した板状とすることで、樹脂の弾性を利用して、この湾曲面に馴染ませることができるので、前記効果を一層向上することができる。
【００３７】
また、この実施例では、支持脚部１５２を構成する支持板１５７を収納ポケット１００の内壁面１１１に接する板状としているので、この支持板１５７（支持脚部１５２）が一方の収納領域１１３または他方の収納領域１１４の収納性を阻害することを軽減することができる。
【００３８】
更に又、一般に、収納ポケット１００の前部角部１１６は、開閉扉４の開閉時に冷蔵庫筺体２などに当たらないように丸く形成されている。この実施例に係るチューブ類収納スタンド１５０では、支持板１５７が左右に張り出しているので、チューブ類収納スタンド１５０が収納ポケット１００の左右に寄りすぎるのを防ぐことができる。特に、この実施例では、収納部１５３を前後方向に複数に分割しているので、この収納部１５３に収納されるチューブ類５０は、前後方向に収納することとなる。この際、チューブ類収納スタンド１５０が収納ポケット１００の片側によりすぎると、開閉扉４の開閉の際に、チューブ類が冷蔵庫筺体２や他の開閉扉４（観音開きの場合）に当たる課題があるが、この実施例では、この課題を解決することができる。
【００３９】
さて、この実施例では、チューブ類５０を前後方向に並べて配置することができる。この収納方法を説明する前に、一般的なチューブ類５０の仕様や大きさを図４と図５をもとに説明する。ここで、図４と図５の（ａ）図は、現在、市場で出回っている一般的なチューブ類５０の一覧表であり、（ｂ）図が、その外観図である。
【００４０】
先ず、図４にはケッチャップやマヨネーズなどを収納した大型のチューブ類５０（５０ｂ）の種類を示している。ここで、図４では、販売している製造メーカ３社の９種類の調査状況を示している。この種の大型のチューブ類５０ｂは、断面形状の一方が薄い楕円またはトラック形状の本体の長手方向の一方を先細りに形成し、その先端部にキャップ５１を設けている。これらの大型のチューブ類５０は、本体が柔軟性のある樹脂材料で形成され、各社とも容量が１５０ｇから４００ｇまたは５００ｇの３種類のものを製造している。
【００４１】
（ａ）図において、横軸において、（１）が高さ寸法、（２）が奥行き寸法ｍ、（３）が横幅寸法、（４）がキャップ５１の直径寸法、（５）がキャップ５１の最大寸法、（６）がキャップ５１の先端部の大きさ、（７）がキャップ５１と対向する本体端部の横幅寸法、（８）が本体端部の奥行き寸法、（９）がキャップ５１の先端部から７５０ｍｍにおける本体の横幅寸法、（１０）がキャップ５１の先端部から７５０ｍｍにおける本体の奥行き寸法を示している。また、縦軸は、各社の容量別の製品を示している。ここで、寸法単位はｍｍで示している。
【００４２】
先ず、表からわかるように、（５）がキャップ５１の最大寸法は、最も大きいものが３４ｍｍである。したがって、この実施例では、１つの収納部１５３の横幅寸法Ｗ２を３５ｍｍ、１つの収納部１５３の奥行き寸法Ｄ２を４３ｍｍ程度に設定しているので、これら市販されている大きさの大型のチューブ類５０を逆さ姿勢で納めることができる。また、この実施例に係るチューブ類収納スタンド１５０は、高さ寸法Ｈ１を７５ｍｍに設定しているので、逆さ姿勢で１つの収納部１５３に収納されるチューブ類は、（９）横幅寸法と（１０）奥行き寸法の位置で、上端支持部１５５によって支持される。
【００４３】
市販されるチューブ類５０は、１つの収納部１５３の横幅寸法Ｗ２を３５ｍｍより、いずれも（９）横幅寸法が大きくなっている。しかし、これらチューブ類５０の断面が楕円形状の太い本体部分から円形のキャップ５１に向かって先細りの形状であることから、下方に突の凹状に形成される上端支持部１５５とすることで、これらの大きさの異なるチューブ類５０を逆さ姿勢で安定支持できることを実験的検証で確認することができた。
【００４４】
図５には、わさびなどの小型のチューブ類５０（５０ａ）の調査結果を示している。この小型のチューブ類５は円筒形の一端に、この円筒形と同じ直径のキャップ５１を設け、他端は、円筒形の本体を扁平にした形状としている。したがって、この小型のチューブ類５０の場合は、キャップ５１が１つの収納部１５３に収まる大きさであれば、逆さ姿勢で収納することができる。
【００４５】
ここで、（ａ）図の横軸には、（１）が高さ寸法、（２）が奥行き寸法ｍ、（３）が横幅寸法、（４）がキャップ５１の直径寸法、（５）がキャップ５１の先端部から７５０ｍｍにおける本体の横幅寸法、（６）がキャップ５１の先端部から７５０ｍｍにおける本体の奥行き寸法を示している。また、縦軸は、各社の容量別の製品を示している。ここで、寸法単位はｍｍで示している。
【００４６】
図からわかるように、キャップ５１の直径寸法（４）が大きいものでも２１ｍｍであることから、横幅寸法Ｗ２が３５ｍｍで、かつ奥行き寸法Ｄ２が４３ｍｍ程度に設定された１つの収納部１５３であれば、十分に収納することができる。しかも、最も大きいキャップ５１の先端部から７５０ｍｍにおける本体の横幅寸法（５）が大きいものでも３１ｍｍであることから、逆さ姿勢を安定支持することができる。しかも、上端支持部１５５が下方に突の凹状で形成されているので、この上端支持部１５５に接するチューブ類５０は凹状の中央に支持されるので、自然に直立姿勢となる。
【００４７】
次に、図１と図３を参照して、このチューブ類収納スタンド１５０の使用方法を説明する。このチューブ類収納スタンド１５０は、支持板１５７を収納ポケット１００の手前になるように収納する。この姿勢であれば、前後方向に長い収納部本体１５１に対して、両側に張り出した支持板１５７が、収納ポケット１００の手前に位置するので、この姿勢で、上方に引き上げて、そのまま前方に引き出すことができるので、一方の収納領域１１３と他方の収納領域１１４に収納される他の小物食品６０を退かすことなく着脱することができる。しかも、チューブ類収納スタンド１５０は、そもそも、収納部本体１５１と支持板１５７の底面部で収納ポケット１００の内部底面１１２に自立する構造であるため、取り出したチューブ類収納スタンド１５０をテーブルに置くことができる。
【００４８】
なお、この実施例では、支持板１５７を収納ポケット１００の奥側に置く姿勢で使用することができる。この姿勢であれば、着脱に際し、支持板１５７が邪魔にならない効果を得ることができないが、他の効果は同様である。
【００４９】
そして、この実施例では、チューブ類収納スタンド１５０を収納ポケット１００に収納するだけで、設置することができるので、収納ポケット１００内での左右の移動を簡単に行って、仕切り機能としての収納ポケット１００の収納性を向上させることができる。
【００５０】
更に、チューブ類収納スタンド１５０の本来の機能である、チューブ類５０の収納は、多様な大きさのチューブ類５０を前後方向に並べて収納できる。しかも、引っ掛け具が収納ポケット１００の縁部に露出するといったデザイン性の悪さも解消することができる。
（他の応用例）
前記実施例では、板状の組み合わせて形成されるシンプルな構造を備えたチューブ類収納スタンド１５０を説明したが、これに限定されるものではない。例えば、図６に示す構造を備えたものでも同様な効果を得ることができる。
【００５１】
例えば、（ａ）図と（ｂ）図は支持板１５７の形状の他の応用例を示している。この実施例においては、前後方向に延びる収納部本体１５１に対して、左右方向に張り出した支持脚部１５２を備える構造であれば、第１実施例と同様な作用効果を得ることができる。（ａ）図は、支持板１５７の下部に左右方向に延びる支持脚部１５２を備えた台形状の支持板１５７を採用したものであり、（ｂ）図は支持板１５７をなくして、左右に延びる棒状の支持脚部１５２を備えたものである。つまり、この実施例に係るチューブ類収納スタンド１５０は、収納部本体１５１の左右方向への傾きと回転を防ぐ機能を備えていれば足りる。
【００５２】
また、（ｃ）図に示すように、チューブ類収納スタンド１５０をワーヤ構造としてもよい。つまり、（ｃ）図の実施例は、（ａ）図の実施例の骨組みのみで構成したものである。ここで、重要なのは、この実施例に係るチューブ類収納スタンド１５０では、長手方向の両端部を収納ポケット１００の前後の内壁面１１１に接する大きさを備えた収納部本体１５１と、この収納部本体１５１の長手方向の一端に収納ポケット１００の長手方向に張り出して形成される支持脚部１５２とで骨格を構成し、前記収納部本体１５１は、上方に開放し、かつ、前後方向に複数に仕切られている点である。そして、より良好なものは、収納部本体１５１の収納部１５３は、左右の上端に設けられる上端支持部１５５を凹状に形成するようにする点である。この特徴的な構造を備えれば、第１実施例と同様な作用効果を得ることができる。
【００５３】
なお、前記実施例では、支持脚部１５２を収納部本体１５１の一端側に設けた事例で説明したが、両端に設けることで、より安定性を高めることができる。
【００５４】
また、前記実施例では、収納部本体１５１の下端部と支持脚部１５２と連続するフラットな形状であると説明したが、第１実施例では、少なくとも図３（ａ）図に示す対角線Ｚ１の両端部（後端部１５８と支持脚部１５２の両端部１５９）、つまりチューブ類収納スタンド１５０の底面の４隅が収納ポケット１００の内部底面１１２に接する４点支持構造であればよい。更には、両側の両端部１５９と、後端部１５８の中央部分の一点で支持する３点支持構造としてもよい。
【符号の説明】
【００５５】
１…冷蔵庫、２…冷蔵庫筺体、３…開放部、４…開閉扉、５…仕切り板、６…収納部、７…ヒンジ機構、８…内部面、５０…チューブ類、５１…キャップ、６０…他の小物食品、１００…収納ポケット、１０１…第１収納ポケット、１１０…第２収納ポケット、１１１…内壁面、１１２…内部底面、１１３…一方の収納領域、１１４…他方の収納領域、１１５…収納領域、１１６…前部角部、１５０…チューブ類収納スタンド、１５１…収納部本体、１５２…支持脚部、１５３…収納部、１５４…一対の側板、１５５…上端支持部、１５６…仕切り、１５７…支持板、１５８…後端部、１５９…両端部
【図１】
0005422446.tif 000002
【図２】
0005422446.tif 000003
【図３】
0005422446.tif 000004
【図４】
0005422446.tif 000005
【図５】
0005422446.tif 000006
【図６】
0005422446.tif 000007